(57)【要約】【課題】本発明は、テープ巻き作業を不要にし、所望のオフセット量に調整でき、作業効率の向上、製品品質の安定化、製品コストの低下、作業時間の短縮化を図ることができるワイヤーハーネス用固定構造及び固定方法を提供する。【解決手段】本発明のワイヤーハーネス用固定構造は、被固定部材１に係止される係止部材３と、係止部材３を保持し、熱収縮フィルムによって作られた固定用フィルム４とを有し、固定用フィルム４同士が互いに重ね合わされて固定され、ワイヤーハーネス２に固定用フィルム４が熱収縮した状態で固定されている。【選択図】図１
2007259604.tif 000002
【特許請求の範囲】
【請求項１】
ワイヤーハーネスを被固定部材に固定するためのワイヤーハーネス用固定構造において、
前記被固定部材に係止される係止部材と、
前記係止部材を保持し、熱収縮フィルムによって作られた固定用フィルムとを有し、
前記固定用フィルム同士が互いに重ね合わされて固定され、
前記ワイヤーハーネスに固定用フィルムが熱収縮した状態で固定されている、
ことを特徴とするワイヤーハーネス用固定構造。
【請求項２】
前記係止部材は、先端部に形成され、被固定部材の係止孔に係止されるアンカー部と、基端部に形成され、水平方向に延びて形成された当接部とを備えており、
前記固定用フィルムは、前記係止部材のアンカー部が挿入される挿入部が形成され、
前記係止部材は、前記アンカー部が前記固定用フィルムの挿入部に挿入され、前記当接部が前記固定用フィルム上に当接された状態で保持されている、
ことを特徴とする請求項１に記載のワイヤーハーネス用固定構造。
【請求項３】
前記係止部材は、前記ワイヤーハーネスと間隔を隔てて配置されていることを特徴とする請求項１又は２に記載のワイヤーハーネス用固定構造。
【請求項４】
前記係止部材は、前記ワイヤーハーネス上に配置されていることを特徴とする請求項１又は２に記載のワイヤーハーネス用固定構造。
【請求項５】
ワイヤーハーネスを被固定部材に固定するためのワイヤーハーネス用固定方法において、
前記被固定部材の係止孔に係止される係止部材を、熱収縮フィルムによって作られた固定用フィルムに保持する工程と、
前記固定用フィルムを前記ワイヤーハーネスに被覆する工程と、
前記固定用フィルム同士を互いに重ね合わせて固定する工程と、
前記固定用フィルムを加熱、収縮させて、前記ワイヤーハーネスに固定する工程と、
を有することを特徴とするワイヤーハーネス用固定方法。
【発明の詳細な説明】
【技術分野】
【０００１】
本発明は、ワイヤーハーネスを被固定部材に固定するためのワイヤーハーネス用固定構造及び固定方法に関し、特に、熱収縮フィルムからなる固定用フィルムを用いたワイヤーハーネス用固定構造及び固定方法に関する。
【背景技術】
【０００２】
従来、車両のボディ、各種機器、パネルなどにワイヤーハーネスを取り付けるために、種々のワイヤーハーネス用固定具が用いられている。
【０００３】
例えば、特許文献１には、取付部の中央から立設したアーム部の上端に、係止頭を有するオフセット型ワイヤハーネス用クランプにおいて、アーム部の上下方向の中間に、アーム部を折り曲げ可能な折曲部を設け、アーム部の伸直による大オフセット量と、アーム部の折り曲げによる小オフセット量のいずれかを択一することができるワイヤハーネス用クランプが開示されている。
【０００４】
このワイヤハーネス用クランプによれば、１つのクランプで２種類のオフセット量を設定できるので、２つのクランプを用意する必要がなくなり、部品点数を減らして、部品管理性の向上とコスト低減を図ることができる、としている（以下、この技術を従来例という）。
【特許文献１】特開平８−２０５３５８号公報
【発明の開示】
【発明が解決しようとする課題】
【０００５】
従来例では、ワイヤーハーネス用クランプの取付部をワイヤハーネスの表面にテープで巻いて固定する必要があり、そのテープ巻き作業が煩雑で時間がかかり、作業効率が悪いという課題があった。
【０００６】
また、テープ巻き作業は人手により行われるので、品質の良否のバラツキが生じ、製品の品質を安定化することが困難であるという課題があった。
【０００７】
また、テープ巻き作業の場合、ワイヤーハーネスの径の大きさにより、テープの使用量が異なるため、テープを過剰に使用しやすく、製品コストが高くなるという課題があった。
【０００８】
また、ワイヤーハーネスと係止頭との間のオフセット量は２種類しか選択できないため、所望のオフセット量に調整することは困難であるという課題があった。
【０００９】
さらに、クランプのワイヤーハーネスへの固定作業と、ワイヤーハーネスと係止頭との間のオフセット量の調整作業との２つの作業を別々に行うため、作業時間を要するという課題があった。
【００１０】
本発明は、上記課題を解決するためになされたものであり、テープ巻き作業を不要にし、所望のオフセット量に調整でき、作業効率の向上、製品品質の安定化、製品コストの低下、作業時間の短縮化を図ることができるワイヤーハーネス用固定構造及び固定方法を提供することを目的とする。
【課題を解決するための手段】
【００１１】
本発明のワイヤーハーネス用固定構造は、ワイヤーハーネスを被固定部材に固定するためのワイヤーハーネス用固定構造において、前記被固定部材に係止される係止部材と、前記係止部材を保持し、熱収縮フィルムによって作られた固定用フィルムとを有し、前記固定用フィルム同士が互いに重ね合わされて固定され、前記ワイヤーハーネスに固定用フィルムが熱収縮した状態で固定されていることを特徴とするものである。
【００１２】
前記係止部材は、先端部に形成され、被固定部材の係止孔に係止されるアンカー部と、基端部に形成され、水平方向に延びて形成された当接部とを備えており、前記固定用フィルムは、前記係止部材のアンカー部が挿入される挿入部が形成され、前記係止部材は、前記アンカー部が前記固定用フィルムの挿入部に挿入され、前記当接部が前記固定用フィルム上に当接された状態で保持されるものでもよい。
【００１３】
前記係止部材は、前記ワイヤーハーネスと間隔を隔てて配置されていてもよく、ワイヤーハーネス上に配置されていてもよい。
【００１４】
本発明のワイヤーハーネス用固定方法は、ワイヤーハーネスを被固定部材に固定するためのワイヤーハーネス用固定方法において、前記被固定部材の係止孔に係止される係止部材を、熱収縮フィルムによって作られた固定用フィルムに保持する工程と、前記固定用フィルムを前記ワイヤーハーネスに被覆する工程と、前記固定用フィルム同士を互いに重ね合わせて固定する工程と、前記固定用フィルムを加熱、収縮させて、前記ワイヤーハーネスに固定する工程と、を有することを特徴とするものである。
【発明の効果】
【００１５】
本発明のワイヤーハーネス用固定構造によれば、固定用フィルムの収縮によりワイヤーハーネスを自動的に固定するので、品質の良否のバラツキがなくなり、製品の品質を安定化することができる。
【００１６】
また、固定用フィルムの挿入部の位置を変えることにより、係止部材とワイヤーハーネスとの間のオフセット量の調整が容易にでき、所望のオフセット量に調整できる。
【００１７】
また、固定具をワイヤーハーネスに固定するために巻くテープが不要であるので、部材（テープ）の過剰使用を防止でき、製品コストを抑えることができる。
【００１８】
また、異なる径のワイヤーハーネスに対応する場合には、固定用フィルムのサイズを変更すればよいので、材料費の無駄をなくすことができる。
【００１９】
本発明のワイヤーハーネス用固定方法によれば、係止部材のワイヤーハーネスへの固定作業と、ワイヤーハーネスと係止部材との間のオフセット量の調整作業との２つの作業を一緒に行うことができるため、作業時間の短縮化を図ることができる。
【００２０】
また、テープ巻き作業が不要であるので、作業が簡単になり、作業効率が向上する。
【発明を実施するための最良の形態】
【００２１】
以下、本発明の実施の形態について図面を参照して説明する。図１（Ａ）〜（Ｂ）は
本発明の第１の実施形態例に係るワイヤーハーネス用固定方法を説明するための斜視図、（Ｃ）は、本発明の第１の実施形態例に係るワイヤーハーネス用固定構造を示す斜視図である。
【００２２】
本発明の第１の実施形態例に係るワイヤーハーネス用固定構造は、例えば車両のボディ、各種機器、パネルなどの被固定部材１にワイヤーハーネス２を取り付けるためのものであり、図１（Ａ）〜（Ｃ）に示すように、被固定部材１の係止孔１ａに係止される係止部材３と、係止部材３を保持し、熱収縮フィルムによって作られた固定用フィルム４とを有する。
【００２３】
係止部材３は、弾性変形可能な合成樹脂などで作られ、先端部に形成され、被固定部材１の係止孔に係止されるアンカー部３ａと、基端部に形成され、水平方向に延びて形成された当接部３ｂとを備えている。
【００２４】
アンカー部３ａの先端には、互いに反対側に張り出して形成された第１の係止片３ｃ及び第２の係止片３ｄを有する。係止部材３を被固定部材１の係止孔１ａに挿入することにより、第１の係止片３ｃ及び第２の係止片３ｄが弾性変形して縮み、係止孔１ａを通過すると、復元して係止孔１ａの周縁部に係止される。
【００２５】
固定用フィルム４は、ポリオレフィン系樹脂、塩化ビニル系樹脂などで作られた略短形の熱収縮フィルム（シュリンクフィルム）により作られている。
【００２６】
固定用フィルム４には、係止部材３のアンカー部３ａが挿入される円形又は楕円形の挿入孔４ａ（挿入部）が形成されている。なお、図２に示すように、固定用フィルム４の挿入部は、切欠部４ｂに形成されていてもよい。
【００２７】
次に、本発明の第１の実施形態例に係るワイヤーハーネス用固定方法を説明する。
【００２８】
まず、係止部材３のアンカー部３ａを固定用フィルム４の挿入孔４ａに挿入し、当接部３ｂが固定用フィルム４上に当接された状態で係止部材３を固定用フィルム４に保持する。
【００２９】
次いで、係止部材３とワイヤーハーネス２とのオフセット量を調整しながら、固定用フィルム４の中間部上にワイヤーハーネス２を配置して（図１（Ｂ）参照）、固定用フィルム４を、ワイヤーハーネス２を包み込んだ状態に手前に巻回して折り返す。
【００３０】
次いで、固定用フィルム４の重ねられた部分を接着、溶着又は熱圧着して、ワイヤーハーネス２を被覆する。
【００３１】
その後、固定用フィルム４を加熱、収縮させて、ワイヤーハーネス２を固定する（図１（Ｃ）参照）。
【００３２】
なお、固定用フィルム４の重ねられた部分を接着、溶着又は熱圧着する作業や固定用フィルム４を加熱、収縮させる作業は、係止部材３のアンカー部３ａを図示しない整列治具の係止孔に挿入して保持した状態で行われる。
【００３３】
本発明の第１の実施形態例に係るワイヤーハーネス用固定構造によれば、固定用フィルム４の収縮によりワイヤーハーネス２を自動的に固定するので、品質の良否のバラツキがなくなり、製品の品質を安定化することができる。
【００３４】
また、固定用フィルム４の挿入孔４ａの位置を変えることにより、係止部材３とワイヤーハーネス２との間のオフセット量の調整が容易にでき、所望のオフセット量に調整できる。
【００３５】
また、固定具をワイヤーハーネス２に固定するために巻くテープが不要であるので、部材（テープ）の過剰使用を防止でき、製品コストを抑えることができる。
【００３６】
また、異なる径のワイヤーハーネス２に対応する場合には、固定用フィルム４のサイズを変更すればよいので、材料費の無駄をなくすことができる。
【００３７】
また、１枚の固定用フィルム４を折り返して用いるので、部品点数削減に寄与する。
【００３８】
本発明の第１の実施形態例に係るワイヤーハーネス用固定方法によれば、係止部材３のワイヤーハーネス２への固定作業と、ワイヤーハーネス２と係止部材３との間のオフセット量の調整作業との２つの作業を一緒に行うことができるため、作業時間の短縮化を図ることができる。
【００３９】
また、テープ巻き作業が不要であるので、作業が簡単になり、作業効率が向上する。
【００４０】
なお、第１の実施形態例では、１枚の固定用フィルム４を折り返して重なった部分を接着、溶着又は熱圧着しているが、２枚の固定用フィルム４を重ね合わせて、接着、溶着又は熱圧着してもよい。
【００４１】
図３は、本発明の第２の実施形態例に係るワイヤーハーネス用固定構造を示す斜視図である。
【００４２】
図３に示すように、本発明の第２の実施形態例に係るワイヤーハーネス用固定構造は、係止部材３は、ワイヤーハーネス２上に配置されていることを特徴とするものである。
【００４３】
本発明の第２の実施形態例に係るワイヤーハーネス用固定方法では、まず、係止部材３のアンカー部３ａを固定用フィルム４の挿入孔４ａに挿入し、当接部３ｂが固定用フィルム４上に当接された状態で係止部材３を固定用フィルム４に保持する。
【００４４】
次いで、係止部材３をワイヤーハーネス２上に載置した状態で、固定用フィルム４を折り返し、固定用フィルム４の重ねられた部分を接着、溶着又は熱圧着して、ワイヤーハーネス２を被覆する。
【００４５】
その後、固定用フィルム４を加熱、収縮させて、ワイヤーハーネス２を固定する（図３参照）。
【００４６】
本発明の第２の実施形態例によれば、係止部材３がワイヤーハーネス２上に配置されているので、被固定部材１上にワイヤーハーネス２を配置することが可能となる。
【００４７】
本発明は、上記実施の形態に限定されることはなく、特許請求の範囲に記載された技術的事項の範囲内において、種々の変更が可能である。例えば、固定用フィルム４に形成される挿入部である挿入孔４ａや切欠部４ｂは複数形成されていてもよい。また、各部材の形状や材質は例示であり、これに限定されるものではない。
【産業上の利用可能性】
【００４８】
本発明は、ワイヤーハーネスを車両のボディなどの被固定部材に固定するために用いられる。
【図面の簡単な説明】
【００４９】
【図１】（Ａ）〜（Ｂ）は 本発明の第１の実施形態例に係るワイヤーハーネス用固定方法を説明するための斜視図、（Ｃ）は、本発明の第１の実施形態例に係るワイヤーハーネス用固定構造を示す斜視図である。
【図２】固定フィルムの変形例を示す斜視図である。
【図３】本発明の第２の実施形態例に係るワイヤーハーネス用固定構造を示す斜視図である。
【符号の説明】
【００５０】
１：被固定部材
２：ワイヤーハーネス
３：係止部材
３ａ：アンカー部
３ｂ：当接部
４：固定用フィルム
４ａ：挿入孔
４ｂ：切欠部
【図１】
2007259604.tif 000003
【図２】
2007259604.tif 000004
【図３】
2007259604.tif 000005